(57)【要約】【課題】カタログの存在を判りやすく且つ贈答品を安全に詰め合わせうるようにした贈答セットを提供する。【解決手段】贈答セット１は、底板７と、周囲を囲う側板８とを有する上面開口状の容器体４ａ，４ｂ，４ｃを重箱状に重ねてなる多段容器部４と、天板１２と、周囲を囲う蓋側板１３とを有し多段容器部４の最上部の容器体４ａの上面に開閉自在に被さる蓋部５と、多段容器部４を構成する容器体４ａ，４ｂ，４ｃの内部に設けられる中敷き部６と、容器体４ａに収容されるカタログ２と、容器体４ｂ，４ｃに収容される贈答品３とからなり、カタログ２と贈答品３とを別の容器体４ａ，４ｂ，４ｃに分けて収容するようにした。これによりカタログ２の存在を確実に気付かせることができ、また、重いカタログ２に対して贈答品３の安全を確保することができる。【選択図】        図４
0003232118.tif 000002
【実用新案登録請求の範囲】
【請求項１】
底板と、周囲を囲う側板とを有する上面開口状の容器体を重箱状に重ねてなる多段容器部と、
天板と、周囲を囲う蓋側板とを有し前記多段容器部の最上部の容器体の上面に開閉自在に被さる蓋部と、
前記多段容器部を構成する前記容器体の内部に設けられる中敷き部と、
前記容器体に収容されるカタログと、
前記容器体に収容される贈答品と、からなり、
前記カタログと前記贈答品とを別の前記容器体に分けて収容するようにしたことを特徴とする贈答セット。
【請求項２】
前記カタログは一辺に綴り部を有する冊子状であり、そのカタログの綴り部を高さ方向に斜めに傾けて前記容器体に収容し、その収容状態で高所側の端の少なくとも一部が前記容器体の上縁より上に突出するようにしたことを特徴とする請求項１記載の贈答セット。
【請求項３】
前記カタログを収容した容器体の前記中敷き部に傾斜部を設けて、その傾斜部を前記カタログの下面に沿わせうるようにしたことを特徴とする請求項２記載の贈答セット。
【請求項４】
前記カタログを前記多段容器部の最上部の容器体に収容すると共にそれより下の容器体に前記贈答品を収容するようにしたことを特徴とする請求項１乃至３の何れか１項に記載の贈答セット。
【考案の詳細な説明】
【技術分野】
【０００１】
本考案は、慶事や弔事の来客等に贈る贈答セット、或はお中元、お歳暮、企業間ギフト等に使用可能な贈答セットに関する。
【背景技術】
【０００２】
従来、注文書が綴り込まれたカタログと、現物の贈答品とを一つの包装容器に詰めるようにした贈答セットがある（特許文献１参照）。この贈答セットは、特許文献１の図面に記載されているように、一つの包装容器の下側にカタログがあり、その上に贈答品が載置されている。
【０００３】
ところで近年、例えば結婚式等の慶事用の引出物として注文書が綴り込まれたカタログを渡し、それを受け取った者がカタログの中から選択した商品を前記注文書で注文し、それが自宅に配送される、というシステムが定着しつつある。このシステムは、引出物が軽くなって持ち帰りやすく、また、希望する商品が自宅でじっくり選べる利点があることから今後さらに増加する可能性がある。
【先行技術文献】
【特許文献】
【０００４】
【特許文献１】実願昭６３−１０２６６４号（実開平２−２３３７３号公報）
【考案の概要】
【考案が解決しようとする課題】
【０００５】
例えば慶事用の引出物は、二品以上を贈ることが多く、前記カタログの他に引き菓子等を組み合わせる場合が殆どである。このような場合に、特許文献１の詰め合わせ商品に関する技術を利用して、例えばカタログを包装容器の下に入れ、その上に引き菓子等を入れることが考えられる。そうすることにより、カタログの重みで菓子等が潰れないようにすることができる。
ところが、包装容器の蓋を開けたとき中味が菓子であることが判ると、食べる直前までその菓子を箱から取り出さない場合があり、下にあるカタログに気付かない可能性がある。中味が食品以外で消費期限がない場合には、さらに長期間包装容器から取り出さない可能性があり、そうするとカタログの存在に気付かないまま注文期間を徒過するおそれもある。
【０００６】
本考案は上記に鑑みなされたもので、その目的は、カタログの存在を判りやすく且つ贈答品を安全に詰め合わせうるようにした贈答セットを提供することにある。
【課題を解決するための手段】
【０００７】
上記の目的を達成するため本考案は、
底板と、周囲を囲う側板とを有する上面開口状の容器体を重箱状に重ねてなる多段容器部と、
天板と、周囲を囲う蓋側板とを有し前記多段容器部の最上部の容器体の上面に開閉自在に被さる蓋部と、
前記多段容器部を構成する前記容器体の内部に設けられる中敷き部と、
前記容器体に収容されるカタログと、
前記容器体に収容される贈答品と、からなり、
前記カタログと前記贈答品とを別の前記容器体に分けて収容するようにした贈答セットを提供する。
【０００８】
また、請求項２に記載したように、前記カタログを一辺に綴り部を有する冊子状とし、そのカタログの綴り部を高さ方向に斜めに傾けて前記容器体に収容し、その収容状態で高所側の端の少なくとも一部が前記容器体の上縁より上に突出するようにした請求項１記載の贈答セットを提供する。
【０００９】
また、請求項３に記載したように、前記カタログを収容した容器体の前記中敷き部に傾斜部を設けて、その傾斜部を前記カタログの下面に沿わせうるようにした請求項２記載の贈答セットを提供する。
【００１０】
また、請求項４に記載したように、前記カタログを前記多段容器部の最上部の容器体に収容すると共にそれより下の容器体に前記贈答品を収容するようにした請求項１乃至３の何れか１項に記載の贈答セットを提供する。
【考案の効果】
【００１１】
本考案によれば、カタログと贈答品が多段容器部の容器体に別々に収容されているため、カタログの存在を確実に気付かせることができ、また、重いカタログと、潰れやすい贈答品を一緒にして贈答しても贈答品の安全を確保することができる。
【００１２】
また、カタログは掲載品を見やすくするため大きくなっており、これをそのまま寝かせた状態で容器体に収容すると容器体の平面形状が大きくなるが、請求項２のようにカタログの一辺の綴り部を高さ方向に斜めに傾けて容器体に収容することで平面形状を小さくコンパクトにすることができる。また、カタログを容器体の中に隙間無く収容してがたつきを抑制しようとすると取出し難くなる弊害が生じるが、請求項２のように、カタログの高所側の端の少なくとも一部を容器体の上縁より上に突出させておくことで、頑丈な綴り部に爪等を引っ掛けたり、頁の数枚を摘まむなどして簡単に取り出すことができる。
【００１３】
また、カタログの綴り部を高さ方向に斜めに傾けて容器体に収容した場合、綴り部の反対側が撓ってカタログの形態が崩れるおそれがあるが、請求項３のように容器体の中敷き部に傾斜部を設けてそれをカタログの下面に沿わせることでカタログの形態の崩れを防止することができる。
【００１４】
また、請求項４のようにカタログを多段容器部の最上部の容器体に収容することにより、カタログの存在を確実に知らしめることが可能であり、これにより注文期限の徒過を効果的に防ぐことができる。
【図面の簡単な説明】
【００１５】
【図１】贈答セットの斜視図である。
【図２】カタログと贈答品を省略した贈答セットの分解斜視図である。
【図３】（ａ）は多段容器部の最上部の容器体を示す平面図、（ｂ）は二段目の容器体を示す平面図、（ｃ）は最下部の容器体を示す平面図である。
【図４】図３（ａ）のＡ−Ａ線の位置で切断した状態を示す贈答セットの縦断面図である。
【図５】図３（ａ）のＢ−Ｂ線の位置で切断した状態を示す贈答セットの縦断面図である。
【図６】図４のＣ〜Ｆ部を示す拡大縦断面図である。
【考案を実施するための形態】
【００１６】
以下に本考案の実施の形態を図面を参照しつつ説明する。
本考案の贈答セット１は、贈答品が掲載されたカタログ２と、実際の贈答品３と、複数（実施形態では三つ）の容器体４ａ，４ｂ，４ｃを重箱状に重ねてなる多段容器部４と、その多段容器部４の最上部の容器体４ａの上面に開閉自在に被さる蓋部５と、各容器体４ａ，４ｂ，４ｃの内部に設けられる中敷き部６と、からなる。
【００１７】
［カタログ、贈答品］
贈答品が掲載されたカタログ２は、一辺に綴り部２ａを有する適度な厚みの冊子であり、そこに掲載された贈答品を注文するための注文書（図示せず）が一緒に綴り込まれている。
一方、実際の贈答品３は、主として菓子等の食品類や、タオル等の身の回り品であるが、どのようなものでもよい。
【００１８】
［多段容器部、容器体］
前記多段容器部４を構成する各容器体４ａ，４ｂ，４ｃは全て同形状・同素材であって、四角形（実施形態では正方形）の底板７と、その周囲を囲う四枚の側板８と、を有する上面開口状の木箱である。
側板８の上端には、いわゆる印籠蓋に対応可能な段部９が形成され、一方、側板８の下端には、上端の段部９に噛合可能な逆さ段部１０が形成されており、したがって、容器体４ｃの上に容器体４ｂを重ねたとき、或は容器体４ｂの上に容器体４ａを重ねたとき、下の側板８の段部９に上の側板８の逆さ段部１０が嵌まり合う。
また、底板７は、側板８の内面に彫った溝に嵌め込むいわゆるアゲ底構造になっており、したがって容器体４ｂ，４ｃの上端より上方にアゲ底分に相当する空間１１が形成されている。
【００１９】
［蓋部］
前記多段容器部４の最上部の容器体４ａの上面に被さる蓋部５は、多段容器部４と同じく木製であり、四角い天板１２と、その周囲を囲う蓋側板１３と、から構成される。この蓋部５の蓋側板１３の下端には、前記容器体４ａの側板８の下端と同じ逆さ段部１４が形成されており、したがってこの逆さ段部１４が容器体４ａの側板８上端の段部９に噛み合って嵌まる。
【００２０】
［中敷き部］
多段容器部４を構成する容器体４ａ，４ｂ，４ｃの内部に設けられる中敷き部６は、厚紙又は段ボール製であって、容器体４ａ，４ｂ，４ｃの底板７を装飾的に覆うと共に適宜な傾斜部１５を設けて後述するようにカタログ２や贈答品３の傾きを補助するようになっている。また、中敷き部６には、カタログ２や贈答品３の容器内での移動を抑制する立ち上げ部１６が設けられており、その立ち上げ部１６でカタログ２や贈答品３の偏りやズレを防止する。
【００２１】
上記のように実施形態の贈答セット１の中味は、贈答品が掲載されたカタログ２と、菓子等の食品類からなる複数の贈答品３であり、多段容器部４の下二つの容器体４ｂ，４ｃに贈答品３が収容され、最上部の容器体４ａにカタログ２が収容される。
各容器体４ａ，４ｂ，４ｃの内部には、図４、図５の断面図に示したように中敷き部６が設けられており、各中敷き部６に形成された傾斜部１５によって贈答品３及びカタログ２が同じ方向に傾くようになっている。したがって蓋部５を開け、容器体４を順に開けていくとき、カタログ２や贈答品３が見え易い。
また、カタログ２は、一辺の綴り部２ａが高さ方向に斜めに傾くように容器体４ａに収容され、その収容状態で高所側の端２ｂが容器体４ａの上縁より上に突出するようになっている。こうすることによりカタログ２の端２ｂの丈夫な綴り部２ａに爪を掛けたり、頁の数枚を摘まんで引き上げる、などして容易に取り出すことができるため、カタログ２を中敷き部６や容器体４ａの中に隙間無く収容して安定させる手段が講じやすい。
【００２２】
以上、本考案を実施の形態について説明したが、もちろん本考案は上記実施形態に限定されるものではない。例えば実施形態では、多段容器部４を三つの容器体４ａ，４ｂ，４ｃで形成したが、容器体を二つや四つにするなどしてもよい。
また、実施形態では最も好ましい例としてカタログ２を最上部の容器体４ａに収容したが、どの容器体にでもカタログ２を収容することができる。
【符号の説明】
【００２３】
１  …贈答セット
２  …カタログ
２ｂ  …端
２ａ  …綴り部
３  …贈答品
４  …多段容器部
４ａ，４ｂ，４ｃ  …容器体
５  …蓋部
６  …中敷き部
７  …底板
８  …側板
１２  …天板
１３  …蓋側板
１５  …傾斜部
【図１】
0003232118.tif 000003
【図２】
0003232118.tif 000004
【図３】
0003232118.tif 000005
【図４】
0003232118.tif 000006
【図５】
0003232118.tif 000007
【図６】
0003232118.tif 000008